(57)【要約】【課題】補強材の露出を防止できる建具を提供する。【解決手段】本発明にかかる建具５、７は、縦框９ａ、９ｂと、縦框９ａ、９ｂ間に設けた横材１１、１３と、隙間隠しカバー２９、３１とを備え、横材１１、１３は、樹脂形材１１ａ、１３ａと樹脂形材の内部に設けた補強材１１ｂ、１３ｂとを有し、隙間隠しカバー２９、３１は、横材１１、１３の端部を呑み込んで縦框９ａ、９ｂの見込み面９ｃに配置してあり、縦框９ａ、９ｂの補強材１９と横材１１、１３の補強材１１ｂ、１３ｂとが隙間隠しカバー２９、３１を挟んでねじ２３で止めてある。【選択図】図１
2020070683.tif 000002
【特許請求の範囲】
【請求項１】
縦框と、縦框間に設けた横材と、隙間隠しカバーとを備え、横材は、樹脂形材と樹脂形材の内部に設けた補強材とを有し、隙間隠しカバーは、横材の端部を呑み込んで縦框の見込み面に配置してあり、縦框と横材の補強材とが隙間隠しカバーを挟んでねじ止めしてあることを特徴とする建具。
【請求項２】
縦框と、縦框間に設けた横材と、隙間隠しカバーとを備え、横材は、樹脂形材と樹脂形材の内部に設けた補強材とを有し、隙間隠しカバーは、一方の部材と他方の部材とを有し、縦框と横材との連結部に配置してあり、一方及び他方の部材は夫々見込み方向に突出した係合部を有し、横材の補強材は被係合部を有し、一方及び他方の部材で横材を挟んで横材の補強材に係合してあり、縦框は横材の補強材にねじ止めしてあることを特徴とする建具。
【発明の詳細な説明】
【技術分野】
【０００１】
本発明は、建具に関する。
【背景技術】
【０００２】
特許文献１には、障子（建具）の縦框間に設けた横框（横材）を、樹脂形材と樹脂形材の内部に設けた金属材（補強材）で構成することが開示されている。
【先行技術文献】
【特許文献】
【０００３】
【特許文献１】特開２０１６−５０４３５号公報
【発明の概要】
【発明が解決しようとする課題】
【０００４】
しかし、樹脂形材と補強材とでは、線膨張係数が異なることから、例えば、直射日光や雰囲気温度の上昇により、線膨張係数が大きい樹脂形材のみが収縮して、横材の端部では線膨張係数が小さい補強材が露出してしまうことがあった。
【０００５】
そこで、本発明は、補強材の露出を防止できる建具の提供を目的とする。
【課題を解決するための手段】
【０００６】
請求項１に記載の発明は、縦框と、縦框間に設けた横材と、隙間隠しカバーとを備え、横材は、樹脂形材と樹脂形材の内部に設けた補強材とを有し、隙間隠しカバーは、横材の端部を呑み込んで縦框の見込み面に配置してあり、縦框と横材の補強材とが隙間隠しカバーを挟んでねじ止めしてあることを特徴とする建具である。
【０００７】
請求項２に記載の発明は、縦框と、縦框間に設けた横材と、隙間隠しカバーとを備え、横材は、樹脂形材と樹脂形材の内部に設けた補強材とを有し、隙間隠しカバーは、一方の部材と他方の部材とを有し、縦框と横材との連結部に配置してあり、一方及び他方の部材は夫々見込み方向に突出した係合部を有し、横材の補強材は被係合部を有し、一方及び他方の部材で横材を挟んで横材の補強材に係合してあり、縦框は横材の補強材にねじ止めしてあることを特徴とする建具である。
【発明の効果】
【０００８】
請求項１及び２に記載の発明によれば、縦框と横材の連結部に隙間隠しカバーを設けているので、横材の端部では樹脂形材の収縮があっても、隙間隠しカバーで補強材を覆うことができるから、補強材の露出を防止できる。
【図面の簡単な説明】
【０００９】
【図１】本発明の第１実施形態にかかる内障子の分解斜視図である。
【図２】図１に示す内障子を室内側から見た正面図である。
【図３】図２に示す内障子のＡ−Ａ断面図である。
【図４】図２に示す内障子のＢ−Ｂ断面図である。
【図５】図１に示す下框と下隙間隠しカバーの拡大図である。
【図６】図１に示す上框と上隙間隠しカバーの拡大図である。
【図７】図１に示す下隙間隠しカバーの図であり、（ａ）は側面図、（ｂ）は正面図、（ｃ）は裏面図、（ｄ）は平面図、（ｅ）は底面図、（ｆ）は斜視図である。
【図８】図１に示す上隙間隠しカバーの図であり、（ａ）は側面図、（ｂ）は正面図、（ｃ）は裏面図、（ｄ）は平面図、（ｅ）は底面図、（ｆ）は斜視図である。
【図９】図１に示す召合せキャップの図であり、（ａ）は正面図、（ｂ）は平面図である。
【図１０】本発明の第１実施形態にかかる外障子の分解斜視図である。
【図１１】本発明の第１実施形態にかかるサッシを室内側から見た正面図である。
【図１２】熱による樹脂形材の収縮状態を説明する図であり、戸当たり框と下框との連結部を示す斜視であって、（ａ）は熱収縮前の状態、（ｂ）は熱収縮があったときの状態、（ｃ）は隙間隠しカバーを装着した状態で熱収縮があったときの状態である。
【図１３】本発明の第２実施形態であって、図１５に示す建具のＡ−Ａ断面図である。
【図１４】本発明の第２実施形態であって、図１５に示す建具のＢ−Ｂ断面図である。
【図１５】本発明の第２実施形態にかかる内障子を室内側から見た正面図である。
【図１６】本発明の第２実施形態であって、下横材に隙間隠しカバーを取り付ける前の状態を示す正面図である。
【図１７】本発明の第２実施形態であって、図１３に示す隙間隠しカバーの図であり、（ａ）は正面図、（ｂ）は右側面、（ｃ）は左側面図、（ｄ）は平面図、（ｅ）は底面図、（ｆ）は斜視図である。
【図１８】本発明の第３実施形態にかかる建具に用いる隙間隠しカバーの図であり、（ａ）は側面図、（ｂ）は正面面、（ｃ）は裏面図、（ｄ）は平面図、（ｅ）は底面図である。
【図１９】第３実施形態であって、下横材の補強材と隙間隠しカバーとの関係を示す正面図である。
【図２０】第３実施形態であって、下横材に隙間隠しカバーを取り付けた状態を図１９に示すＣ−Ｃ位置に対応する位置で切断して示す断面図である。
【図２１】本発明の第４実施形態であって、第１部材と第２部材とを組み合わせた隙間隠しカバーの図であり、（ａ）は側面図、（ｂ）は平面図、（ｃ）は正面図である。
【図２２】本発明の第４実施形態であって、第１部材と第３部材とを組み合わせた隙間隠しカバーの図であり、（ａ）は側面図、（ｂ）は平面図、（ｃ）は正面図である。
【図２３】図２１及び２２に示す第１部材の図であり、（ａ）は側面図、（ｂ）は正面面、（ｃ）は裏面図、（ｄ）は平面図、（ｅ）は底面図である。
【図２４】図２１に示す第２部材の図であり、（ａ）は側面図、（ｂ）は平面面、（ｃ）は正面図である。
【図２５】図２２に示す第３部材の図であり、（ａ）は側面図、（ｂ）は平面面、（ｃ）は正面図である。
【図２６】本発明の第５実施形態にかかる内障子を室内側から見た正面図である。
【図２７】本発明の第５実施形態であって、図２６に示す下隙間隠しカバーの図であり、（ａ）は側面図、（ｂ）は正面面、（ｃ）は裏面図、（ｄ）は平面図、（ｅ）は底面図である。
【図２８】本発明の第５実施形態であって、図２６に示す上隙間隠しカバーの図であり、（ａ）は側面図、（ｂ）は正面面、（ｃ）は裏面図、（ｄ）は平面図、（ｅ）は底面図である。
【発明を実施するための形態】
【００１０】
以下に、添付図面を参照して本発明の実施形態を説明するが、まず図１〜図１２を参照して、第１実施形態を説明する。
図１１に示すように、本実施形態にかかる建具を用いた引違サッシ１は、枠３と、内障子（建具）５と外障子（建具）７とを備えている。枠３は、上枠３ａ、下枠３ｂ、左右の縦枠３ｃを組んである。
図１及び図２に示すように、内障子５は左縦框９ａと、右縦框９ｂと、左右の縦框９ａ、９ｂ間に設けた下横材１１と、上横材１３と、下隙間隠しカバー２９と、上隙間隠しカバー３１とを備えている。左縦框９ａは召合せ框であり、右縦框９ｂは戸当たり框である。また、下横材１１は下框であり、上横材１３は上框である。左縦框９ａの上端及び下端には、それぞれ召合せキャップ２１が装着されている。
図４に示すように、左縦框９ａ及び右縦框９ｂは、それぞれ樹脂形材１７と、樹脂形材１７の内部に設けた補強材１９とを有している。各補強材１９は金属材であるが、左縦框９ａの補強材１９はアルミニウム材であり、右縦框９ｂの補強材１９は鋼材である。
図１に示すように、左縦框９ａ及び右縦框９ｂには、それぞれ下横材１１と上横材１３とを連結するネジ２３を挿通するネジ挿通孔２５形成されている。ネジ挿通孔２５はホールプレート２６で塞いでいる。
【００１１】
図５に示すように、下横材１１は樹脂形材１１ａと、樹脂形材１１ａの内部に設けた補強材１１ｂを有しており、図６に示すように、上横材１３も下横材１１と同様に、樹脂形材１３ａと樹脂形材１３ａの内部に設けた補強材１３ｂを有している。各補強材１１ｂ、１３ｂにはネジ２３（図１参照）を止めるタッピングホール２７が形成されている。
【００１２】
図１及び図２に示すように、下横材１１の左右端部１１ｃにはそれぞれ下隙間隠しカバー２９が装着されており、各下隙間隠しカバー２９は下横材１１の端部１１ｃを呑み込んで左縦框９ａ又は右縦框９ｂの各見込み面９ｃに配置してある。左右の下隙間隠しカバー２９は同種のものを用いている。
上横材１３の左右端部１３ｃにはそれぞれ上隙間隠しカバー３１が装着されており、各上隙間隠しカバー３１は上横材１３の端部１３ｃを呑み込んで左縦框９ａ又は右縦框９ｂの各見込み面９ｃに配置してある。左右の上隙間隠しカバー３１は同種のものを用いている。
【００１３】
次に、下隙間隠しカバー２９と上隙間隠しカバー３１について説明するが、以下の説明において、下隙間隠しカバー２９について説明し、上隙間隠しカバー３１には、下隙間隠しカバー２９と同一の作用効果を奏する部分には同一の符号を付してその部分の詳細な説明を省略する。
図７に示すように、下隙間隠しカバー２９は、側板３３と、正面板３５と、裏面板３７とを一体に備えている。側板３３は下横材１１の端面１１ｄ（図５参照）に当接される。側板３３には下横材１１との当接面に、補強材１１ｂ（図５参照）との係合部３９が突設されている。係合部３９は左右一対設けてあり、対となったものが上下２箇所に設けてある。図７（ａ）に示すように、各係合部３９は、側面視でコ字形状を成しており、図３に示すように、下横材１１の補強材１１ｂにおいて互いに対向する面間に嵌合により固定されている。図７（ｄ）に示すように、側板３３にはその左右両側端に後述する召合せキャップ２１のヒレ部２１ａを受けるヒレ受け３８が形成されている。ヒレ受け３８は、側板３３の左右両側端に形成した段部である。
図７（ａ）に示すように、側板３３の下端には、下枠３ｂに設けた下レール（図示せず）が挿入される下レール用溝４０が形成されている。また、側板３３にはネジ２３（図１参照）を挿通するネジ挿通孔４１が上下に２つ形成してあり、ネジ挿通孔４１の下方には戸車部品４２（図３参照）を下横材１１に止めるネジの挿通孔４３が形成されている。
図３及び図４に示すように、正面板３５は下横材１１の各端部１１ｃにおいてその正面に配置され、裏面板３７は下横材１１の各端部１１ｃにおいてその裏面に配置される。
【００１４】
図８に示すように、上隙間隠しカバー３１は、側板３３の上部に上枠３ａに設けた上レール（図示せず）が挿入される上レール用溝４４が形成されている。上隙間隠しカバー３１では、その側板３３には、左右に一対の係合部３９が突出して設けてあると共にネジ挿通孔４１は一つである。
図１に示すように、左右の縦框９ａ、９ｂ、下横材１１及び上横材１３で囲まれる内周には外周縁にグレイジングチャンネル４５を巻いたパネル４７が配置されている。
【００１５】
図９に示すように、召合せキャップ２１には、召合せ框（左縦框９ａ）の内部に嵌合する嵌合部２１ｂが設けてあり、下横材側１１又は上横材１３側にはヒレ部２１ａが設けてある。ヒレ部２１ａは下隙間隠しカバー２９及び上隙間隠しカバー３１がないときにそれぞれ横材１１、１３と召合せ框（左縦框９ａ）との間を塞ぐものである。
【００１６】
次に、内障子（建具）５の組立方法について説明する。
図１に示すように、パネル４７にグレイジングチャンネル４５を巻く。
次に、図６に示すように、上横材１３の左右端部１３ｃにそれぞれ上隙間隠しカバー３１を呑み込ませるが、上隙間隠しカバー３１は、正面板３５と裏面板３７とで上横材１１の正面と裏面とをそれぞれ挟み、上横材１３の端面１３ｄに側板３３を当てるようにして呑み込ませて、嵌め込む。このとき、図３に示すように、係合部３９を補強材１３ｂの対向する面間に嵌め込む。
その後、図３に示すように、上横材１３をパネル４７の上端に嵌め込む。
同様に、図５に示すように、下横材１１の両端部１１ｃにそれぞれ下隙間隠しカバー２９を呑み込ませて嵌め込み、次に、図３に示すように、下横材１１をパネル４７の下端に嵌め込む。
その後、図１に示すように、右縦框９ｂをパネル４７の右端に嵌め込み、同時に下横材１１の右端部１１ｃに呑み込ませた下隙間隠しカバー２９を右縦框９ｂの見込み面９ｃに当てた状態にして、右縦框９ｂのネジ挿通孔２５からネジ２３を挿通して、下横材１１の右側端を固定し、同様に上横材１３も上隙間隠しカバー３１を右縦框９ｂの見込み面９ｃに当てた状態で、右縦框９ｂのネジ挿通孔２５からネジ２３を挿通して、上横材１３の右側端を固定する。図３に示すように、各ネジ２３は下横材１１の補強材１１ｂ及び上横材１３の補強材１３ｂに設けたタッピングホール２７にねじ込んで固定する。
同様に、左縦框９ａをパネル４７の左端に嵌め込み、右縦框９ｂと同様に、ネジ２３で下横材１１及び上横材１３の左側端を固定する。
各ネジ２３を取り付けた後、各ネジ挿通孔２５をホールプレート２６（図１参照）で塞ぐ。
【００１７】
図１０に外障子（建具）７の分解斜視図を示しているが、外障子７の構成及び組み立てについては、内障子５と略同様であるから、同一の作用効果を奏する部分には、上述した内障子５と同一の符号を付して、その説明を省略する。この図１０に示す外障子７では、左縦框９ａが戸当たり框であり、右縦框９ｂが召合せ框となっているが、右縦框（召合せ框）９ｂには、召合せキャップ２１は取り付けていない。
【００１８】
ここで、図１２を参照して、下横材１１に生じる熱の影響について説明する。
図１２の（ａ）（ｂ）は共に下隙間隠しカバー２９を取り付けていない場合であり、（ａ）は熱による影響を受ける前の状態であり、（ｂ）は熱による影響を受けて下横材１１が高温になった場合である。また、（ｃ）は熱による影響を受けて下横材１１が高温になった場合であるが、下隙間隠しカバー２９を取り付けた場合である。
（ｂ）に示すように、下横材１１が高温になって、樹脂形材１１ａに収縮が生じた場合、樹脂形材１１ａの内部に設けてある補強材１１ｂが露出してしまう。
これに対して、（ｃ）に示すように、本願発明の実施形態では、下横材１１の端部１１ｃを呑み込むようにして下隙間隠しカバー２９を設けているので、樹脂形材１１ａに収縮が生じても、下隙間防止カバー２９で隠すことができるから、補強材１１ｂの露出を防止できる。
【００１９】
次に、内障子（建具）５及び外障子（建具）７の作用効果について説明する。
図１及び図２に示すように、下横材１１には、左右の縦框９ａ、９ｂとの連結部に下隙間隠しカバー２９を設けているので、図１２（ｃ）に示すように、下横材１１の端部１１ｃでは樹脂形材の収縮があっても、下隙間隠しカバー２９で補強材１１ｂを覆うことができるので、補強材１１ｂの露出を防止できる。
同様に、図１及び図２に示すように、上横材１３でも、左右の縦框９ａ、９ｂとの連結部に上隙間隠しカバー３１を設けているので、上横材１３の左右の各端部１３ｃでは樹脂形材１３ａの収縮があっても、上隙間隠しカバー３１で上横材１３の補強材１３ｂを覆うことができるので、補強材１３ｂの露出を防止できる。
内障子５及び外障子７の各組立時に、下横材１１と上横材１３を縦框９ａ、９ｂに固定するネジ２３で、下隙間隠しカバー２９及び上隙間隠しカバー３１を固定しているから、下隙間隠しカバー２９及び上隙間隠しカバー３１を固定するためのネジ等の部品を必要としないので、部品点数を少なくできる。
【００２０】
図５に示すように、下隙間隠しカバー２９は下横材１１の補強材１１ｂとの係合部３９を有し、図６に示すように、上隙間隠しカバー３１は上横材１３の補強材１３ｂとの係合部３９を有しているから、内障子５の組立時に、各隙間隠しカバー２９、３１を対応する各横材１１、１３に固定しておくことができ、組立易い。
図７及び図８に示すように、下隙間隠しカバー２９及び上隙間隠しカバー３１にはその側板３３にヒレ受け３８を形成しているので、左縦框（召合せ框）９ａでは、召合せキャップ２１のヒレ部２１ａが邪魔にならないで済む。
図１に示すように、下隙間隠しカバー２９及び上隙間隠しカバー３１は、各々左縦框（召合せ框）９ａ側と右縦框（戸当框）９ｂ側とで同種のものを用いているので、部品点数を少なくできる。
【００２１】
以下に本発明の他の実施形態を説明するが、以下に説明する実施形態において、上述した第１実施形態と同一の作用効果を奏する部分には同一の符号を付することによりその部分の詳細な説明を省略し、以下の説明では第１実施形態と主に異なる点を説明する。
図１３〜図１７を参照して、第２実施形態について説明する。
図１３及び図１４に示すように、この第２実施形態では、上述した第１実施形態に係る内障子（建具）５の下横材１１に隙間隠しカバー５１を取付けている。尚、図示していないが、外障子７についても同様に取り付けられる。以下の説明では、内障子５についてのみ説明する。
隙間隠しカバー５１は、一方の部材５１ａと他方の部材５１ｂとの２部材で構成されている。一方の部材５１ａは、下横材１１の各端部１１ｃ（図１６参照）において、下横材１１の正面に配置されており、他方の部材５１ｂは裏面に配置される。各一方の部材５１ａと他方の部材５１ｂとは同じ構成なので、一方の部材５１ａについて説明し、他方の部材５１ｂには、一方の部材と同一の作用効果を奏する部分には同一の符号を付してその部分の詳細な説明を省略する。
図１７に示すように、一方の部材５１ａは板状であり、下横材１１側の面には上下２つの係合部５３が下横材１１の見込み方向に突出して設けてあり、上端部には下横材１１側に突出する係止部５５が形成されている。係合部５３は突出方向に沿って割目５３ａが形成してあり、弾性変形可能な構成としてある。また、一方の部材５１ａには、その左縦框９ａ又は右縦框９ｂの見込み面９ｃに当接する当接部５２が形成されている（図１４及び図１５参照）。左右の当接部５２間の寸法は、係止部５５よりも左右方向の幅を狭くしてある。
一方、図１６に示すように、下横材１１には、その正面側及び裏面側にそれぞれ係合部５３と係合する被係合部５７が設けてある。被係合部５７は係合部５３が係合する穴である。図１３に示すように、下横材１１において被係合部５７は樹脂形材１１ａと補強材１１ｂとに貫通して形成されており、係合部５３は補強材１１ｂに係合している。
【００２２】
第２実施形態にかかる内障子５の組立は、図１６に示すように、下横材１１の各端部１１ｃの正面側に一方の部材５１ａを押し付け、係止部５５を下横材１１の上端に係止した状態（図１３参照）で、下横材１１の被係合部５７に一方の部材５１ａの係合部５３を係合して取付ける。係合部５３は弾性変形した後、弾性復帰して被係合部５７に係合する。同様に下横材１１の裏面側に他方の部材５１ｂを係合して取付ける。
その後、第１実施形態と同様に、一方の部材５１ａ及び他方の部材５１ｂを取り付けた下横材１１の各端を対応する左縦框９ａと右縦框９ｂに当てて、図１５に示すように、ネジ２３で各縦框９ａ、９ｂの補強材１９と横材１１の補強材１１ｂを固定する。
尚、第２実施形態では、上横材１３には隙間隠しカバー５１を装着していないが、上横材１３にも下横材１１と同様に隙間隠しカバー５１を装着しても良い。
【００２３】
この第２実施形態では、隙間隠しカバー５１を下横材１１の端部１１ｃに呑み込ませる構成及び効果を除いて、第１実施形態と同様の作用効果を奏することができる。
また、図１３及び図１４に示すように、隙間隠しカバー５１は一方の部材５１ａと他方の部材５１ｂとで構成しており、それぞれ下横材１１の正面と裏面との各見付面に係合により取り付けているので、隙間隠しカバー５１の取付けにネジ止めを不要にできる。
更に、既存の内障子５の下横材１１に、補強材１１ｂを貫通する穴を空けて被係合部５７を形成して、隙間隠しカバー５１を取付けることもできる。
尚、図１５において、召合せキャップ２１から隙間隠しカバー５１側に突出しているのは、ヒレ部２１ａである。
【００２４】
図１８〜図２０を参照して第３実施形態について説明する。
図１８に示すように、この第３実施形態では、上述した第１実施形態において、下隙間隠しカバー２９の係合部３９に抜け防止爪５９を設けてあると共に、図１９に示すように、下横材１１の補強材１１ｂに抜け防止爪５９が係止する係止部６０が形成されている。係止部６０は穴である。図１８（ｄ）に示すように、抜け防止爪５９は楔状を成しており、図１９に示すように、抜け防止爪５９を係止部６０の縁に係止することで、下隙間隠しカバー２９が抜けるのを防止している。
この第３実施形態によれば、第１実施形態と同様な作用効果を奏すると共に、抜け防止爪５９により、内障子５の組立時に下隙間隠しカバー２９の抜けを防止できる。
【００２５】
図２１〜図２５を参照して、第４実施形態について説明する。第４実施形態では、下隙間隠しカバー２９を２部材の組み合わせで構成していることが第１実施形態と異なっている。
即ち、この第４実施形態にかかる下隙間隠しカバー２９は、第１部材６１と、第２部材６３と、第３部材６５とを備えており、これらの組み合わせにより構成されている。具体的には、図２１に示す第１部材６１と第２部材６３との組み合わせと、図２２に示す第１部材６１と第３部材６５との組み合わせにより、それぞれ下隙間隠しカバー２９を構成している。
まず、図２１に示す第１部材６１と第２部材６３との組み合わせについて説明する。
図２３に示すように、第１部材６１は、側板６１ａと正面板６１ｂと裏面板６１ｂとで平面視コ字形状を成している（図２３（ｄ）（ｅ）参照）。また、側板６１ａには、後述する係合部３９の挿入穴６１ｄ及び第１実施形態と同様にネジ挿通孔４１、４３が形成されている。
図２１に示すように、第２部材６３は第１部材６１の側板６１ａに重ねて配置するものであり、図２４に示すように、側板６１ａと同様な形状の板状を成し、第１実施形態と同様に係合部３９が突設して形成されている。また、第１部材６１と同様にネジ挿通孔４１及び４３が形成されている。
図２５に示すように、第３部材６５は第２部材６３と同様に、第１部材６１の側板６１ａに重ねて配置するものであり、側板６１ａと同様な板状を成しているが、第３部材６５は、第２部材６３よりも板厚を厚くしてあり、召合せキャップ２１のヒレ部２１ａに対応したヒレ受け３８が形成されていることが第２部材６３と異なっている。即ち、第２部材６３は戸当り框（右縦框９ｂ）用であり、第３部材６５は召合せキャップ２１が装着される召合せ框（左縦框９ａ）用である。
【００２６】
この第４実施形態では、召合せ框（左縦框９ａ）には第１部材６１と第３部材６５とを重ねたもの（図２２参照）を用い、戸当たり框（右縦框９ｂ）には、第１部材６１と第２部材６３とを重ねたもの（図２１参照）を用いている。
この第４実施形態によれば、第１実施形態と同様の作用効果を奏すると共に戸当たり框（右縦框９ｂ）側では、下横材１１と上横材１３との間に図２に示すヒレ受け３８をなくすことができるので、外観が良い。
また、３つの部材６１、６３、６５の組み合わせにより、召合せ框（左縦框９ａ）用と戸当たり框（右縦框９ｂ）用の各下隙間隠しカバー２９として使い分けることができる。
【００２７】
図２６〜図２８を参照して第５実施形態を説明する。
この第５実施形態では、図９に示す召合せキャップ２１のヒレ部２１ａを切除して用いると共に、下隙間隠しカバー２９と上隙間隠しカバー３１とには、それぞれヒレ部２１ａを受けるヒレ受け３８を形成していないことが第１実施形態と異なっている。
この第５実施形態によれば、第１実施形態と同様の作用効果を奏すると共に、図２６に示すように、各隙間隠しカバー２９、３１と対応する左右の縦框９ａ、９ｂとの間にヒレ受け３８（図２参照）が露出しないので外観が良い。
【００２８】
本発明は、上述した実施形態に限らず、本発明の要旨を逸脱しない範囲で種々変形可能である。
例えば、横材１１、１３はそれぞれ横框に限らず、桟等であっても良い。また、横材１１、１３は、下横材１１と上横材１３との２つの横材を設けたが、横材は１つであっても良いし、３つ等であっても良く、横材１１、１３の数は制限されない。
上述した実施形態では、建具として内障子５及び外障子７を例に挙げて説明したが、建具は、ドアの扉であっても良いし、間仕切り等であっても良い。
【符号の説明】
【００２９】
５    内障子（建具）
７    外障子（建具）
９ａ  左縦框
９ｂ  右縦框
９ｃ  見込み面
１１  下横材
１１ａ  樹脂形材
１１ｂ  補強材
１３  上横材
１３ａ  樹脂形材
１３ｂ  補強材
２３  ネジ
２９  下隙間隠しカバー
３１  上隙間隠しカバー
５３  係合部
５７  被係合部
５１ａ  一方の部材
５１ｂ  他方の部材
【図１】
2020070683.tif 000003
【図２】
2020070683.tif 000004
【図３】
2020070683.tif 000005
【図４】
2020070683.tif 000006
【図５】
2020070683.tif 000007
【図６】
2020070683.tif 000008
【図７】
2020070683.tif 000009
【図８】
2020070683.tif 000010
【図９】
2020070683.tif 000011
【図１０】
2020070683.tif 000012
【図１１】
2020070683.tif 000013
【図１２】
2020070683.tif 000014
【図１３】
2020070683.tif 000015
【図１４】
2020070683.tif 000016
【図１５】
2020070683.tif 000017
【図１６】
2020070683.tif 000018
【図１７】
2020070683.tif 000019
【図１８】
2020070683.tif 000020
【図１９】
2020070683.tif 000021
【図２０】
2020070683.tif 000022
【図２１】
2020070683.tif 000023
【図２２】
2020070683.tif 000024
【図２３】
2020070683.tif 000025
【図２４】
2020070683.tif 000026
【図２５】
2020070683.tif 000027
【図２６】
2020070683.tif 000028
【図２７】
2020070683.tif 000029
【図２８】
2020070683.tif 000030